(57)【特許請求の範囲】
【請求項１】
第一レールと第二レールと第三レールと第一ボールベアリングと第二ボールベアリングと少なくとも一つのベアリングケージとを具備する引き出しスライド装置であって：
前記第一レールは長手方向の第一ウェブと、前記第一ウェブの対向している両端部に設置された側面ベアリング軌道とを備えていて；
前記第二レールが延伸可能に前記第一レールに連結され、前記第二レールの一部分は前記第一レールの中に収容されており、前記第二レールは長手方向の第二ウェブと、第一脚及び第二脚と、フランジとを備えていて、前記第一脚及び第二脚は前記第二ウェブから離なれる方向に延伸しており、折り曲げ部分により前記第二ウェブに接続されていて、前記折り曲げ部分は前記第二ウェブの長手方向の縁各々に沿っており、前記フランジは前記第一脚から、前記二つの脚により画成されたマウスの中へ延伸していて；
前記第三レールが延伸可能に前記第二レールに連結され、そして前記第三レールの一部分は前記第二レールの前記第一脚と第二脚との間に収容されていて、前記第三レールは直立壁面とつめとを備えており、前記直立壁面は前記第二レールの前記第一脚と第二脚との間に位置していて、前記つめは前記第一脚の前記マウス内における前記直立壁面から前記第二レールの前記第一脚へ向かって横方向に延伸しており、前記つめが長手方向の溝を含んでおり；
前記第一ボールベアリングは、前記第二レールの前記折り曲げ部分と前記第一レールの側面ベアリング軌道と間に設置されていて；
前記第二ボールベアリングは前記第二レールの前記フランジと前記第三レールの前記つめとの溝の中を走行するようになっており；
前記少なくとも一つのベアリングケージは、前記第一レールと前記第二レールとの間に設置されていて、そしてエラストマ製のバンパを備えていて、前記エラストマ製のバンパは前記ベアリングケージの前方端部と後方端部との少なくとも一方に連結されており；
前記第一レール及び第二レールは、お互いに対して少なくとも一部分が前記第一ボールベアリング上をスライドしていて；
前記第一ボールベアリングは、前記第二ウェブにより画成された線に対して角度をつけて前記第一レール及び第二レールに接触しており；
前記第二レール及び第三レールは、お互いに対して少なくとも一部分が前記第二ボールベアリング上をスライドしている；
引き出しスライド装置。
【請求項２】
前記ベアリングケージは、その一部分がローラベアリングを収容していて、前記ローラベアリングは前記第一レールの前記第一ウェブと前記第二レールの前記第二ウェブとを連結している、請求項１に記載の引き出しスライド装置。
【請求項３】
前記ベアリングケージが前記第二レールの前記折り曲げ部分を囲んで延伸している、請求項１に記載の引き出しスライド装置。
【請求項４】
前記ベアリングケージが前記ボールベアリングの一部分を収容している請求項１に記載の引き出しスライド装置。
【請求項５】
前記第一レールは引き出しに取付けるために形成されている、請求項１に記載の引き出しスライド装置。
【請求項６】
前記第一レールが、さらに前記第一ウェブから前記側面ベアリング軌道への移行部分に丸味をおびた縁を備えている請求項１に記載の引き出しスライド装置。
【請求項７】
第一レールと第二レールと第三レールと第一ベアリングケージと第二ベアリングケージとを具備する引き出しスライド装置であって：
前記第一レールが第一ウェブと、前記第一ウェブの対向している両端部における側面ベアリング軌道とを備えていて；
前記第二レールが、第二ウェブと、第一脚及び第二脚と、フランジとを備えており、前記第一脚及び第二脚は前記第二ウェブの長手方向の縁に沿って前記第二ウェブから離れる方向に延伸していて、そして前記フランジは前記第一脚から、前記二つの脚により画成されたマウスの中へ延伸しており、そして溝を含んでおり；
前記第三レールが直立壁面とつめとを備えていて、前記直立壁面は一部分が前記第二レールの前記第一脚と第二脚との間に収容されており、前記つめは前記第二レールのマウス内において前記直立壁面から前記第二レールの前記第一脚に向かって延伸していて、前記つめが溝を含んでおり；
前記第一ベアリングケージがボールベアリングを有していて、前記ボールベアリングは、前記第二レールの前記フランジの溝におけるボールベアリングと、前記第三レールのつめの溝におけるボールベアリングとであり、前記第二レール及び前記第三レールの少なくとも一方に横方向の支持を提供しており；
前記第二ベアリングケージが前記第二レールの前記第二ウェブと前記第三レールの前記つめとの間を走行するベアリングを有しており、；
前記第一ベアリングケージは前記第二ベアリングケージから独立している；
引き出しスライド装置。
【請求項８】
前記第一レールは、引き出しに取り付けるために形成されている、請求項７に記載の引き出しスライド装置。
【請求項９】
前記第三レールは、キャビネットに取り付けるために形成されている、請求項７に記載の引き出しスライド装置。
【請求項１０】
前記第二ベアリングケージは軸が水平なローラベアリングを収容しており、前記水平なローラベアリングは、前記第二レールの前記ウェブと前記第三レールのつめとの間を走行している、請求項７に記載の引き出しスライド装置。
【請求項１１】
前記第二ベアリングケージが軸が垂直なローラベアリングを収容していて、その垂直なローラベアリングは、前記第二レールの前記第二脚と前記第三レールの前記直立壁面との間を走行している、請求項７に記載の引き出しスライド装置。
【請求項１２】
前記第二ベアリングケージは前記第一ベアリングケージとは異なる材料で作られている、請求項７に記載の引き出しスライド装置。
【請求項１３】
第一レール（１５）と第二レール（１３）と第三レール（１１）と第一ボールベアリング（７７）と第二ボールベアリング（６３）と第三ボールベアリング（４７，５１）とを具備する引き出しスライド装置であって、
前記第一レール（１５）は長手方向の第一ウェブ（７１）と、第一脚及び第二脚とを有していて、前記第一脚及び前記第二脚は前記第一ウェブの両端部から離れる方向に延伸しており、前記第一脚の一部分が前記第二脚に対面した丸みをおびた第一軌道（６９）を有していて、そして前記第二脚の一部分が前記第一脚に対面している丸みをおびた第二軌道（６９）を有しており；
前記第二レール（１３）が延伸可能に前記第一レール（１５）に連結され、前記第二レールの一部分は前記第一レールの中に収容されており、そして前記第二レールが長手方向の第二ウェブ（３３）と、前記第二レールの第一脚（３５）と、前記第二レールの第二脚（３７）と、フランジ（３９）とを備えていて、前記第二レールの前記第一脚（３５）は前記第二ウェブから離れる方向に延伸しており、前記第二レールの前記第一脚の一部分が、前記第一レールの前記第一脚に対面している湾曲した第一面を有していて、そして、前記第二レールの前記第二脚（３７）は前記第二ウェブから離れる方向に延伸しており、前記第二レールの前記第二脚の一部分が、前記第一レールの前記第二脚に対面している湾曲した第二面を有していて、そして、前記フランジ（３９）は前記第二レールの前記第一脚から前記第二レールの前記第二脚へ向かって延伸していて、そして長手方向の溝（６７）を有しており；
前記第三レール（１１）が延伸可能に前記第二レールに連結され、そして前記第三レールの一部分は前記第二レールの前記第一脚と第二脚との間に収容されていて、前記第三レールは第一直立壁面（２７）とつめ（２９）とを備えており、前記第一直立壁面（２７）は前記第二レールの前記第一脚と第二脚との間に位置していて、前記つめ（２９）は前記第一直立壁面（２７）から前記第二レールの前記第一脚へ向かって横方向に延伸しており、前記つめが長手方向の溝（６７）を含んでおり、前記第三レールがさらに前記第一直立壁面（２７）から延伸する第三ウェブ（２５）と、前記第三ウェブから延伸する第二直立壁面（１７）とを備えており、前記第三ウェブ（２５）が前記第一レールと前記第二レールとから離れる方向に延伸していて、前記第二直立壁面（１７）が前記第一レールと前記第二レールとの外部に位置していて；
前記第一ボールベアリング（７７）が、前記第一軌道と前記湾曲した第一面との間に位置し、前記第一軌道と前記湾曲した第一面とに係合しており、そして前記第二軌道と前記湾曲した第二面との間に位置し、前記第二軌道と前記湾曲した第二面とに係合していて、
前記第二ボールベアリング（６３）は、第一ベアリングケージ（６１）の中に収容されていて、そして前記第二レールの前記フランジの前記長手方向の溝と前記第三レールの前記つめの前記長手方向の溝とに位置しており、前記第二レール及び前記第三レールの少なくとも一方に横方向の支持を提供しており；
前記第三ボールベアリング（４７，５１）は第二ベアリングケージ（４５）の中に収容されていて、前記第二レールの前記長手方向の第二ウェブと前記第三レールの前記つめとの間に配置されていて；
前記第二レール及び前記第三レールは、少なくとも前記第二ボールベアリングの一部分の上でお互い同士が滑動するようになっており；
前記第一ベアリングケージ（６５）は前記第二ベアリングケージ（４５）から独立していて；
前記第一レールは前記第二レールに滑動可能に支持されており、前記第一ボールベアリングが前記第一レールの前記第一軌道及び前記第二軌道と、前記第二レールの前記湾曲した第一面及び前記湾曲した第二面とに係合し、前記第一レールは、前記第二レールが前記第三レールに対して完全に延伸した場合、前記第一ボールベアリングに接触することにより前記第二レールに対して滑動し延伸できるようになっている；
引き出しスライド装置。
【発明の詳細な説明】
【技術分野】
【０００１】
本発明は引き出しスライド装置、特に下部取付け用引き出しスライド装置に関する。
【背景技術】
【０００２】
引き出しスライド装置はキャビネット、キャビネットタイプの構造体及びラックを取り付けた家具等随所に使用されている。引き出しスライド装置は引き出し等をキャビネットに取り付けるために使用されていて、キャビネットから引き出しを延伸させることが引き出しの内部へのアクセスを容易なものにしている。一般に、引き出しスライド装置は物品の延伸可能なアタッチメントを構造体に備えるのに利用される。
【０００３】
下部取付け用引き出しスライド装置は引き出しの下に設置されるようになっている。引き出し等の下に設置することは、延伸された時にスライド装置が引き出しの下にほぼ隠れているとの利点がある。引き出し等の下に直接設置することは設計上の問題がある。例えば、耐荷重特性が複雑であって、特に重い引き出しの場合顕著なものとなる。
【０００４】
さらに、多くの家具において、キャビネットあるいは他の支持構造体は引き出しの真下の構造要素において荷重を支えないようになっている。その代りに、キャビネット又は支持構造体はその側壁面若しくは取り付けられたフレーム、又は側壁面の一部分に沿って荷重が支持されるようになっている。そのような情況において、荷重を伝達するための手段は、引き出しの下方の下部取付け用引き出しスライド装置からキャビネットの側壁面に延伸することが必要とされる。そのような手段は、下部取付け用引き出しスライド装置をキャビネットの側面に取り付けることを可能にしている。しかしながら、そのような手段は下部取付け用引き出しスライド装置の構造を複雑なものにしている。というのはその手段は引き出しの荷重を、下部取付け用引き出しスライド装置の他の部分から離なれている側壁面に伝達しなければならないからである。
【発明の開示】
【発明が解決しようとする課題】
【０００５】
本発明は、下部取付け用引き出しスライド装置を提供するものである。
【課題を解決するための手段】
【０００６】
第一の実施形態において、引き出しスライド装置が、第一レールと第二レールと第三レールと第一ボールベアリングと第二ボールベアリングとを具備していて、前記第一レールは長手方向の第一ウェブと、前記第一ウェブの対向している両端部に設置された側面ベアリング軌道とを備えていて；前記第二レールが延伸可能に前記第一レールに連結され、前記第二レールの一部分は前記第一レールの中に収容されており、前記第二レールは長手方向の第二ウェブと、第一脚及び第二脚と、フランジとを備えていて、前記第一脚及び第二脚は前記第二ウェブから離なれる方向に延伸しており、折り曲げ部分により前記第二ウェブに接続されていて、前記折り曲げ部分は前記第二ウェブの長手方向の縁に沿っており、前記フランジは前記第一脚から、前記二つの脚により画成されたマウスの中へ延伸していて；前記第三レールが延伸可能に前記第二レールに連結され、そして前記第三レールの一部分は前記第二レールの前記第一脚と第二脚との間に収容されていて、前記第三レールは直立壁面とつめとを備えており、前記直立壁面は前記第二レールの前記第一脚と第二脚との間に位置していて、前記つめは前記第一脚の前記マウス内における前記直立壁面から前記第二レールの前記第一脚へ向かって横方向に延伸しており、前記つめが長手方向の溝を含んでおり；前記第一ボールベアリングは、前記第二レールの前記折り曲げ部分と前記第一レールの側面ベアリング軌道と間に設置されていて；前記第二ボールベアリングは前記第二レールの前記フランジと前記第三レールの前記つめとの溝の中を走行するようになっており；前記第一レール及び第二レールは、お互いに対して少なくとも一部分が前記第一ボールベアリング上をスライドしていて；前記第一ボールベアリングは、前記第二ウェブにより画成された線に対して角度をつけて前記第一レール及び第二レールに接触しており；前記第二レール及び第三レールは、お互いに対して少なくとも一部分が前記第二ボールベアリング上をスライドしている。第二実施形態において、引き出しスライド装置が、第一レールと第二レールと第三レールとボールベアリングとを具備していて前記第一レールが第一ウェブと、前記第一ウェブの対向している両端部における側面ベアリング軌道とを備えていて；前記第二レールが、第二ウェブと、第一脚及び第二脚と、フランジとを備えており、前記第一脚及び第二脚は前記第二ウェブの長手方向の縁に沿って前記第二ウェブから離れる方向に延伸していて、そして前記フランジは前記第一レグから、前記二つの脚により画成されたマウスの中へ延伸しており、そして溝を含んでおり；前記第三レールが直立壁面とつめとを備えていて、前記直立壁面は一部分が前記第二レールの前記第一脚と第二脚との間に収容されており、前記つめは前記第二レールのマウス内において前記直立壁面から前記第二レールの前記第一レグに向かって延伸していて、前記つめが溝を含んでおり；前記ボールベアリングは、前記第二レールの前記フランジの溝におけるボールベアリングと、前記第三レールのつめの溝におけるボールベアリングとである。
【０００７】
添付図を用いて、本発明におけるこれらの実施形態及び他の実施形態を以下に詳述する。
【発明を実施するための最良の形態】
【０００８】
図１，２及び３は、それぞれ本発明における下部取付け用引き出しスライド装置の部分斜視図、斜視図、正面図である。図１において、下部取付け用引き出しスライド装置は三つのレールを含んでいる。レールは、キャビネットの側面に取り付けるようになっているキャビネットレール１１と、キャビネットレールに連結された中間レール１３と、中間レールに連結された棚レール１５とを含んでいる。棚レールは引き出し、棚等に接続するためのものである。
【０００９】
一体成形されたキャビネットレールが中間レールから延伸しているＬ字形部分を含んでいる。Ｌ字形部分の第一部分１７部分は、中間レールから離間していて、キャビネットの側面に連結するために使用される。図１において、Ｌ字形部分の第一部分は整列した取付け穴１９を含んでいる。整列した取付け穴は、キャビネットが取り付けねじ等を事前に位置決めされた位置に受容するべく形成される際に便利なものである。事前に位置決めされた位置は、キャビネットにより変化し製造者によっても異なる。図１における整列した取付け穴は家具に使用されている非常に多くの事前に位置決めされた位置に対応可能な取付け位置を提供している。
【００１０】
図３において、Ｌ字形部分の第一部分が凹部２１を含んでいる。リブ２３は凹部に形成されていて、取付け穴がリブに備えられている。Ｌ字形部分の第二部分２５は中間レールへ向かって延伸している。図示するように、Ｌ字形部分の第一部分及び第二部分はほぼ同一幅であるけれども、種々の実施形態において変更されてもよい。一般的に、Ｌ字形部分の第二部分の幅はキャビネットの側面から、キャビネットに差し込まれるようになっている引き出しの側壁面を通過した位置に延伸している。Ｌ字形部分の第二部分の先端部分が、下部取付け用引き出しスライド装置を取り付けるのに適切な引き出しの下に近接した、引き出し本体の下方に置かれている。
【００１１】
フランジ２９を有している直立壁面２７が、Ｌ字形部分の第二部分の長手方向に沿っていて、そのフランジ２９（つめ（ｓｐｕｒ）とも呼ばれる）は直立壁面から離間した部分に沿っている。フランジ２９はＬ字形部分の第一部分に向かって配向されていて、キャビネットレールの中心に向かって内向きに包みこむようになっている内向きフランジと、考えてもよい。内向きフランジの下面はボールベアリングを受容するための長手溝を含んでいて、以下に説明する。キャビネットレールの前面における内向きフランジの部分３１はベアリング止め具を形成するべく下向きに折り曲げられている。
【００１２】
中間レール１３はローラ及びボールベアリングによりキャビネットレール１１に連結されている。中間レールは、図３図示するように、ギリシャ文字のπ字形の断面を有している。従って、中間レールはほぼ平らな上部３３と、上部の長手方向の縁にわずかに差し込まれた二つの下向き脚３５，３７と、一方の脚から延伸している内向きフランジ３９と、他方の脚から延伸している外向きフランジ４１とを有している。内向きフランジと外向きフランジとの両方が同一方向に延伸していて、内向きフランジは下向き脚により形成されたマウス（ｍｏｕｔｈ）内部で延伸しており、外向きフランジは下向き脚により形成されたマウスから遠ざかるように延伸している。
【００１３】
折り曲げ部分４３は、上部の長手方向縁各々に沿っていて、上部を下向き脚に接続している。折り曲げ部分は、中間レールのねじり剛性と強度とを強化していて、操作中におけるスライド装置のたわみを小さくしている。折り曲げ部分は中間レールの外側に沿ったベアリングの軌道を提供している。以下に詳述する。実施形態によっては、折り曲げ部分は中間レールにより形成されていて、折り曲げ部分は中間レール材料における複合湾曲部分として形成されている。実施形態によっては、折り曲げ部分の内面はお互いに接触している。図示されているように、折り曲げ部分は中間レールの上部を越えて延伸していないが、実施形態によっては折り曲げ部分は平らな上部を越えて延伸していて、実施形態によっては約３５°の角度で延伸している。
【００１４】
キャビネットレール１１の内向きフランジ２９は中間レール１３のマウス内部に位置している。ローラベアリングは中間レールとコネクタ、及び中間レールと内向きフランジの上表面を相互接続している。図４Ａ及び４Ｂにおいて、ローラベアリングはＬ字形断面を有している単一のベアリングケージに保持されている。ベアリングケージの上部４６がベアリングケージのほぼ前端部４９に三つのローラベアリング４７を含んでいて、ベアリングケージのほぼ後端部５３に三つのローラベアリング５１を含んでいる。ローラベアリングはベアリングケージの最上部外端部に向かって設置されていて、平行な回転軸を有しており、そしてお互いに関して直線的に設置されている。ベアリングケージはベアリングケージの最上部に沿ってほぼ中空の部分５５を有していて、ベアリングの位置は最上部の残りの部分から突出している。中空部分を設置することは材料コストを低減し、加えてベアリングケージ構造体全体としてのフレキシビリティを提供しており、従って、ベアリングケージが引き出しのねじり運動をもたらし、棚レールに形成された止め具に接触して元の位置にもどる際のベアリングケージの騒音を低減している。ベアリングケージはベアリングを完全にケージの中に包含しており、スライド装置の組立を容易なものにしている。
【００１５】
ベアリングケージの側面部分５７は、そのほぼ前端部及び後端部に垂直軸を備えたローラベアリング５９を含んでいる。図４Ａに図示するように、ベアリングケージはほぼ前端部に二つのローラベアリングを含んでいて、ほぼ後端部に二つのローラベアリングを含んでいる。
【００１６】
図３に図示するように、ベアリングケージ４５の側面に沿っているローラベアリングは、中間レールの一方の下向き脚の内部をキャビネットレール１５の直立壁面２つに連結している。
【００１７】
図３及び４Ｂに図示するように、さらなるベアリングケージ６１が、ベアリングを収容していて、そのベアリングはキャビネット部材のフランジの下面と中間レールの内向き脚とを連結している。Ｌ字形ベアリングケージに加えてさらなるベアリングケージを使用することは、異なるベアリングケージ用の異なる材料を可能なものにしている。実施形態によっては、例えばさらなるベアリングケージはより強くてより耐久性のあるプラスチックで形成されていて、ベアリングケージをより大きな衝撃力に耐えるものにしている。
【００１８】
さらなるベアリングケージはボールベアリング６３及びローラベアリング６５を収容している。ローラベアリングは引き出しアセンブリ、特に中間レールとキャビネットレールとの間に対して垂直方向のサポートを提供している。ボールベアリングは中間レールの内向き脚とキャビネットレールの内向きフランジとに形成された溝６７を走行する。溝におけるボールベアリングの配列が中間レールとキャビネットレールとの間の横方向サポートを提供している。
【００１９】
さらに、実施形態によっては、ボールベアリングが鋼のような金属である鋼製のボールベアリングを使用することは以下の利点があって、鋼製ベアリングはスライド装置に作用する想定される荷重に対して圧縮は最小であって、従ってスライド装置が引き出された場合のスライド装置のたわみを低減するようになっている。
【００２０】
図３において、棚レール１５はＣ字形レールであって、そのＣ字形レールはウェブ７１により相互接続された側面のベアリング軌道６９を有している。ウェブは多少丸味をおびた縁で軌道に移行している。丸味をおびた縁はチャンバを形成していて、接着剤のような材料用のすき間を提供しており、そのすき間は、棚レールに連結された引き出し又は棚の下側にある。棚レールは中間レールの上部周辺に延在していて中間レールの折り曲げ部分を包含している。棚レールのウェブ７１が軌道を形成していて、その軌道はほぼ平らであって、そして中間レールの上部に対向しているスライド装置内部に位置している。側面のベアリングの軌道６９は中間レールの折り曲げ部分を囲んで包含していて、そしてＣ字形棚レールの前端部に向けてベアリングを受容するようになっている。
【００２１】
水平回転軸を備えたローラベアリングは、棚レールのウェブと中間レールの上部とを連結している。一組の第一ローラベアリング７３は、中間レールとキャビネットレールの内向きフランジとを連結しているローラベアリングのほぼ真上にある。一組の第二ローラベアリング７５は第一ローラベアリングからオフセットしていて、そして中間レールの一方の下向き脚をキャビネットレールの直立壁面に接続しているローラのほぼ真上にある。
【００２２】
ボールベアリング７７は、さらに棚レールと中間レールとを連結している。ボールベアリングはＣ字形棚レールの前端部に向かうベアリング軌道及び中間レールの折り曲げ部分により形成された軌道を走行する。ボールベアリングは棚レールの単一点と中間レールの単一点とに接触している。それらの単一点は、単一点により画成された線又は接触軸が水平に対してほぼ４５°の角度を形成するように位置していて、その水平とはキャビネットレールのＬ字形の第二部分２５又は中間レールの上部又は棚レールのウェブに対して平行なものと考えてよい。角度の付いた接触軸は、例えばスライド装置に対して水平サポートと垂直サポートとを提供している。
【００２３】
図５及び６は、棚レールと中間レールとを連結しているローラベアリングとボールベアリングとを含んでいるベアリングケージを図示している。実施形態によっては、各タイプの数個のベアリングケージが棚レールと中間レールとを連結するために使用されている。しかしながら種々の別の実施形態において、単一のベアリングケージの変形だけが使用され、そして個数が異なっている。
【００２４】
図５におけるベアリングケージは下向きに延伸しているアーム１０３を備えたほぼ正方形の頂部１０１を含んでいる。ローラベアリングが頂部に埋め込まれていて、頂部の表面の上方に延伸しそして頂部の下面の下方に延伸しており、棚レールと中間レールとを連結できるようになっている。図５に図示するように、一対のローラベアリング１０５が頂部の一方の側に沿った平行な回転軸に直線的に配列されている。これらのローラベアリングは例えばベアリングケージがスライド装置内部に位置している場合内向きフランジと中間レールとを連結しているローラベアリングの上方に位置している。図５におけるベアリングケージの最上部も頂部の反対側に向かうローラベアリング１０７を含んでいる。エラストマ製バンパ１０９が、単一のローラベアリングに向かう最上部の側においてベアリングケージの最上部から外向きに延伸している。エラストマ製バンパは、ベアリングケージの他の部分よりいくらか柔軟な材料であって、ベアリングケージがベアリング止め具に接触する場合及びベアリングケージが他のベアリングケージに接触する場合に、ベアリングケージの循環運動中の衝撃をやわらげるようになっている。
【００２５】
下向きに延伸しているアーム１０３がベアリングケージの最上部の両側面から下向きに延伸している。アームは中間レールの折り曲げ部分を囲んで包含するべく形成されている。アームの端部がボールベアリングを受容し保持するギャップ１１３を含んでいる。
【００２６】
図６にさらなるベアリングケージが図示されている。図３に例示されたスライド装置の実施形態において、図５及び６の両方のベアリングケージが使用されている。図６におけるベアリングケージは、図５におけるベアリングケージと同様に、ローラベアリングを備えた頂部１２１を含んでいる。図５のベアリングケージと同じく、図４のベアリングケージはベアリングケージの一方の側に向かうよりも他方の側に向かってより多くのローラベアリングを含んでいる。図６に図示するように、頂部はほぼ正方形の部分を含んでいて、その一方の側に単一のローラベアリングが備えられている。その他方の側にベアリングケージは前方突起１２３及び後方突起１２５を含んでいる。前方突起及び後方突起各々は二つのローラベアリングを含んでいる。
【００２７】
図５におけるキャビネットのように、図６におけるベアリングケージはベアリングケージの両側に近接している下向きに突出したアームを含んでいる。下向きに突出したアームはボールベアリングを受容し保持するようになっているギャップを含んでいる。
【００２８】
図６におけるベアリングケージがばね構造体１３１も含んでいて、そのばね構造体１３１は、ベアリングケージの前方突起及び後方突起の近傍でベアリングケージから外向きに突出している。ばね構造体は、図６に図示するようにベアリングケージの材料の折り曲げ可能な帯板であって、その折り曲げ可能な帯板はベアリングケージからわずかに外向きに延伸していて、装置の別の構造体に曲がって接触するようになっている。板ばねとして作用する折り曲げ可能な部分は、ベアリングケージが例えばスライド装置におけるベアリング止め具に接触した場合、騒音を低減するようになっている。さらに、ばね構造体は図５におけるベアリングケージのエラストマ製バンパと接触するかも知れなくて、そのような場合ベアリングケージが閉じることにより発生される騒音を低減している。
【００２９】
図７は、例えば図１のスライド装置の分解図を図示している。スライド装置はキャビネットレール１１と中間レール１３と棚レール１５とを含んでいる。第一ベアリングケージ２００におけるベアリングはスライド可能に又は回転可能に棚レール１５及び中間レール１３に連結されている。同様に、第二ベアリングケージ２０２におけるベアリングはスライド可能に又は回転可能に中間レール１３をキャビネットレール１１に連結している。
【００３０】
図８Ａ及び８Ｂは閉状態におけるスライド装置を図示している。閉状態において、レールは前端部及び後端部（２０６，２０８）はお互いにほぼ隣接している。図９Ａ及び９Ｂは、図８Ａ及び８Ｂにおけるスライド装置が開状態、又は延伸状態を図示している。開状態において、棚レール１５は中間レール１３から前方へ延伸している。棚レールの一部分は中間レールの一部分と重なっていて、中間レールの一部分が棚レールのためのサポートを提供している。同様に、中間レール１３はキャビネットレール１１から前方に延伸している。中間レールの一部分はキャビネットレールの一部分と重なっていて、キャビネットレールの一部分が中間レールのためのサポートを提供している。
【００３１】
スライド装置を図８Ａ及び８Ｂの閉状態から図９Ａ及び９Ｂの開状態に変更する場合、キャビネットレール１１及び棚レール１５はお互いにレールの長手方向、すなわちスライド装置の延伸線方向に離間するように移動される。このことは、キャビネットレールが静止部材、通常キャビネットフレームに取り付けられている場合、棚レールに取り付けられた部材、通常引き出しの移動により行なわれる。棚レールは、第一ベアリングケージ（図示せず）におけるベアリングの真上をスライド及び／又は進行させることにより、中間レール１３から延伸される。
【００３２】
中間レール１３は、第二ベアリングケージ（図示せず）におけるベアリングの真上をスライド及び／又は進行させることにより、キャビネットレール１１から延伸される。止め具（２１０）（図７参照）は、レールがスライド装置の延伸線に沿って相対的に延伸し過ぎることによりお互いがはずれることを防止するために、レールの中に組み込まれている。止め具２１０はベアリングケージをレール間に位置決めするための境界として作用するようになっていてもよく、又はベアリングケージの循環位置のために作用するようになっていてもよい。
【００３３】
スライド装置は、棚レール１５及びキャビネットレール１１をお互いにスライド装置延伸線に沿って移動することにより、図８Ａ及び８Ｂの閉状態にもどすことができる。このことは、キャビネットレールに取り付けられたキャビネット又は部材が静止している場合、棚レールに取り付けられた引き出し又は部材の移動により行なうことができる。棚レールは、第一ベアリングケージにおけるベアリングの真上をスライド及び進行させることにより閉状態にもどる。中間レールは、第二ベアリングケージにおけるベアリングの真上をスライド及び進行させることにより閉状態にもどる。
【００３４】
従って、本発明は下部取付け用引き出しスライド装置及びその部分を提供している。本発明は特許請求の範囲に記載されていて、その変形も本開示に含まれるものである。
【図面の簡単な説明】
【００３５】
【図１】図１は、本発明における下部取付け用引き出しスライド装置の部分斜視図である。
【図２】図２は、図１における下部取付け用引き出しスライド装置の斜視図である。
【図３】図３は、図１及び図２における下部取付け用引き出しスライド装置の正面図である。
【図４Ａ】図４Ａは、本発明におけるベアリングケージの斜視図である。
【図４Ｂ】図４Ｂは、本発明におけるベアリングケージの正面図である。
【図５】図５は、本発明におけるベアリングケージの斜視図である。
【図６】図６は、本発明におけるベアリングケージの斜視図である。
【図７】図７は、本発明におけるスライド装置の分解図である。
【図８Ａ】図８Ａは、本発明におけるスライド装置の側面図であってスライド装置が閉状態のものである。
【図８Ｂ】図８Ｂは、本発明におけるスライド装置の平面図であってスライド装置が閉状態のものである。
【図９Ａ】図９Ａは、本発明におけるスライド装置の側面図であって、スライド装置が開状態のものである。
【図９Ｂ】図９Ｂは、本発明におけるスライド装置の平面図であって、スライド装置が開状態のものである。
【図１】
0005154941.tif 000002
【図２】
0005154941.tif 000003
【図３】
0005154941.tif 000004
【図４Ａ】
0005154941.tif 000005
【図４Ｂ】
0005154941.tif 000006
【図５】
0005154941.tif 000007
【図６】
0005154941.tif 000008
【図７】
0005154941.tif 000009
【図８Ａ】
0005154941.tif 000010
【図８Ｂ】
0005154941.tif 000011
【図９Ａ】
0005154941.tif 000012
【図９Ｂ】
0005154941.tif 000013